(57)【要約】  【課題】座り心地において極めて優れた椅子を提供する。  【解決手段】背支桿１と、上端部を背支桿１に支持され、且つ背もたれ面下部５ｂを形成する張り部材５１と、背支桿１に支持され、且つ張り部材５１を背支桿１に対して前後動させるサポートフレーム１０とを備えたものとした。【選択図】図１
2007313371.tif 000002
【特許請求の範囲】
【請求項１】
背支桿と、
上端部を前記背支桿に支持され、且つ背もたれ面下部を形成する張り部材と、
前記背支桿に支持され、且つ前記張り部材を前記背支桿に対して前後動させるサポートフレームとを具備してなることを特徴とする椅子。
【請求項２】
前記張り部材の下端部を前記サポートフレームに支持させている請求項１記載の椅子。
【請求項３】
前記サポートフレームを左右一対にして備え、これら一対のサポートフレームに前記張り部材の左右両側縁部をそれぞれ支持させている請求項１又は２記載の椅子。
【請求項４】
上部を前記背支桿に回転可能に支持させたサポートフレームの正逆回転動作により前記背もたれ面下部が前後に移動するようにした請求項１、２又は３記載の椅子。
【請求項５】
前記サポートフレームの位置を調整するための駆動機構を備え、当該駆動機構が、前記サポートフレームを駆動させる状態と、前記サポートフレームを固定する状態とに切り替え可能なものである請求項１、２、３又は４記載の椅子。
【請求項６】
前記背もたれ面下部が、着座者の腰部を支持し得るランバーサポート部の一部として機能する請求項１、２、３、４又は５記載の椅子。
【発明の詳細な説明】
【技術分野】
【０００１】
本発明は、座り心地の改善に寄与し得る椅子に関し、主としてオフィス等のＯＡ分野で好適に用いられるものに関する。
【背景技術】
【０００２】
従来、椅子の座り心地を改善する目的で種々の工夫がなされている。例えば、背もたれ面の下部を部分的に前方へせり出させてランバーサポート部を形成するようにしたもの等がその一例である。このような態様としているのは、ランバーサポート部が着座者の腰部をサポートする形状となって、快適で安定した座り心地をもたらすからである。
【発明の開示】
【発明が解決しようとする課題】
【０００３】
ところで、この部分が画一的な形状であると、体格や座り方の違い等によっては、逆に着座者の腰部が安定して支持されず、人によっては座り心地に不満を覚える場合もあり得る。
【０００４】
そこで本発明は上記問題を解決し、座り心地において極めて優れた椅子を提供すべく図ったものである。
【課題を解決するための手段】
【０００５】
すなわち、本発明に係る椅子は、背支桿と、上端部を前記背支桿に支持され、且つ背もたれ面下部を形成する張り部材と、前記背支桿に支持され、且つ前記張り部材を前記背支桿に対して前後動させるサポートフレームとを具備してなることを特徴とする。
【０００６】
また、前記張り部材の下端部を前記サポートフレームに支持させていることが好ましい。
【０００７】
好適な実施態様としては、前記サポートフレームを左右一対にして備え、これら一対のサポートフレームに前記張り部材の左右両側縁部をそれぞれ支持させている態様が挙げられる。
【０００８】
加えて、上部を前記背支桿に回転可能に支持させたサポートフレームの正逆回転動作により前記背もたれ面下部が前後に移動するようにすればよい。
【０００９】
また、前記サポートフレームの位置を調整するための駆動機構を備え、当該駆動機構が、前記サポートフレームを駆動させる状態と、前記サポートフレームを固定する状態とに切り替え可能なものである。
【００１０】
好適な実施態様としては、前記背もたれ面下部が、着座者の腰部を支持し得るランバーサポート部の一部として機能する態様が挙げられる。
【００１１】
また、図５に示すように、回転中心Ｘを背５に設定してランバーサポート部ＬＳがその回転中心Ｘより下方に位置するような態様も考えられる。
【００１２】
なお、「前後に移動」とは、少なくとも前後方向を含んだ移動、という意味である。
【発明の効果】
【００１３】
本発明によれば、座り心地において極めて優れた椅子を提供することができる。
【発明を実施するための最良の形態】
【００１４】
以下、本発明の一実施例について図面を参照して説明する。なお、「課題を解決するための手段」で述べた部材に対応する部材には同一の符号を付すこととする。
【００１５】
図１は、本発明の一実施例を示す椅子１の要部を示す斜視図である。この椅子１は、ベース脚２と、このベース脚２に取り付けられた支基３と、この支基３に四辺リンク機構６を介して支持された座４及び背５とを備えたもので、この四辺リンク機構６の作用で、背５を後方へロッキング動作させると、それに連れて座４が後方へ移動するように構成してある。
【００１６】
支基３は、長尺状のもので、ベース脚２を構成する支柱２１の上端部にその下端部を嵌合固定され、斜め前方に延びるように配置されている。
【００１７】
座４は、着座面を座受４１に対し前後スライド移動可能に構成したものである。より具体的には、座受４１上にクッション等を図示しないスライド機構を介して前後スライド可能に装着している。
【００１８】
背５は、背支桿５１に張り部材５２を張り設けてなるものであり、クッション材等を有さず、この張り部材５２の張力を利用してクッション性が発揮されるようにしてある。この背支桿５１は、主として背もたれ面に対応する部分である上部フレーム５１１と、座受４１の下方に位置する下部フレーム５１２とを具備するもので、これら上部フレーム５１１と下部フレーム５１２とを水平左右に延びる支軸Ｓ１を介して互いに回動可能に連結するとともに、その回動を抑止可能な図示しない抑止機構を設けている。この抑止機構は、例えば上部フレーム５１１と下部フレーム５１２とを、それらの間にピンを差し込んで回動不能に固定するもので、ピンを挿脱可能に構成しておくことにより、上部フレーム５１１と下部フレーム５１２とを互いに回動可能とし、上部フレーム５１１のみを傾動させ得る回動可能態様と、これらを互いに固定結合し、背支桿５１全体をロッキング動作させ得る回動不能態様とに、使用者が切り替えられるようにしてある。
【００１９】
四辺リンク機構６は、図２に示すように、４つのリンクメンバ６１〜６４の端部同士を支軸Ｓ１〜Ｓ４を介してそれぞれ回転可能に結合し、各結合点により側面視不等辺四角形を形成するようにしたものである。具体的には、支基３に下リンクメンバ６１、座フレーム４２に上リンクメンバ６２、背もたれ下部フレーム５１２に後リンクメンバ６３としての機能をそれぞれ兼ねさせ、支基３と座フレーム４２との前端部間に専用の前リンクメンバ６４を配置してなる。
【００２０】
しかして本実施例では、特に図３に示すように、座フレーム４２の後方に傾動体７を設け、この傾動体７に着座面４ａ、４ｂを構成するクッション等の後端部を下方から支持させるとともに、この傾動体７の後端にランバーサポート部を構成するサポートフレーム１０を一体に設け、このサポートフレーム１０に背もたれ面下部５ｂを形成する張り部材５２を支持させている。そして、これら一体をなす傾動体７及びサポートフレーム１０を、操作部たる操作レバー８の操作によって、駆動機構１１を介して移動させ、着座面後部４ｂと背もたれ面下部５ｂとからなる背座境界部分Ｋを変形させ得るようにしている。
【００２１】
各部を詳述すると、傾動体７は、前後に延びる左右一対のフレーム状のもので、支持アームとしての役割を兼ねる。そして支持機構９を介して、背支桿５１に位置変更可能に支持させてある。この支持機構９は、傾動体７を、その前端部において前記支軸Ｓ１を介して下部フレーム５１２に回動自在に結合するものである。そして、この傾動体７によって、着座面後部４ｂが、着座面前部４ａと略面一となる下位置Ｐ（図３の二点鎖線で示す）と、この下位置Ｐからさらに後端部を持ち上げた上位置Ｑとの間で傾動するように支持させてある。
【００２２】
一方、この傾動体７を駆動する駆動機構１１は、長さを自在に変更できる伸縮部材たるガススプリング１１１の一端を、支持部材たる背支桿５１（より具体的には下部フレーム５１２）に回動自在に固定するとともに、他端を傾動体７の傾動支点Ｘから偏位した部位に回動自在に固定してなるものである。そして、座５の下面に設けた操作レバー８とガススプリング１１１の操作部１１１ａとを、リンクワイヤＬＷによって連結し、この操作レバー８の操作により、ガススプリング１１１を伸縮自在なフリー状態と、その長さが固定されるロック状態とに切り替えられるようにしている。また、このガススプリング１１１をフリーにした状態では、その伸張力によって傾動体７に前傾移動する力が常に作用するようにしてある。
【００２３】
サポートフレーム１０は、側面視、傾動体７の後端から略直角に屈曲して一体に延びてなるフレーム状のもので、背もたれ面下部５ｂを形成する張り部材５２の左右側縁部を支持する。そして、傾動体７が下位置Ｐから上位置Ｑに移動するにつれて前方に突出し、背もたれ面下部５ｂを、その部分の張り部材５２の張力を増加させつつ前方に突出させる。なお、ランバーサポート部は、これら一対のサポートフレーム１０と、その間に張り設けられた張り部材５２とからなる。このサポートフレーム１０の先端部分には、後方に向けて円弧状に屈曲した屈曲部１０１を形成してあり、腰骨の当たり感覚を良くしている。そして、上部フレーム５１１と下部フレーム５１２とを互いに固定結合した前記回動不能態様において、傾動体７を下位置Ｐに設定した場合には、この傾動体７が通常の背もたれ面を形成する位置に位置し、同回動不能態様において、傾動体７を下位置Ｐよりも上位置Ｑ側に移動させた場合には、その分だけ前方に突出するように設定してある。
【００２４】
このような構成の本実施例に係る椅子１において、傾動体７及びサポートフレーム１０の位置調整をする場合には、まず操作レバー８を操作して、ガススプリング１１１をフリーにする。そしてその伸張力に逆らって傾動体７及びサポートフレーム１０を後傾方向に操作し、所望の角度になったところで、操作レバー８を反対操作し、ガススプリング１１１をロック状態にして、傾動体７及びサポートフレーム１０を角度変更不能に固定する。より具体的には、着座者が背５にもたれながらこれらの位置調整を行えばよい。
【００２５】
したがって、本実施例によれば、着座者個々の体格や座り方等の違いに拘わらず、背座境界部分Ｋを、移動又は変形させて、着座者の骨盤角度や、着座者の腰部に沿ったものとすることができるので座り心地において極めて優れた椅子１を提供することができる。
【００２６】
さらに、本実施例では、サポートフレーム１０の前方への突出にしたがって背もたれ面下部５ｂを形成する張り部材５２の張力が増加するように構成してあるため、背もたれ面下部５ｂを前方に突出させた場合に、この背もたれ面下部５ｂに緊張感が与えられ、座り心地の向上により寄与し得る。
【００２７】
なお本発明は、上述した実施例に限定されるものではない。
【００２８】
例えば、図４に示すように、ガススプリング１１１をフリーにした状態で、その伸張力によって傾動体７に後傾移動する力が常に作用するようにしてもよい。この場合に、傾動体７及びサポートフレーム１０の位置調整をするには、まず操作レバー８を操作して、ガススプリング１１１をフリーにする。そしてその伸張力に逆らって傾動体７及びサポートフレーム１０を前傾方向に操作し、所望の角度になったところで、操作レバー８を反対操作し、ガススプリング１１１をロック状態にして、傾動体７及びサポートフレーム１０を角度変更不能に固定する。この図で、前記実施例に対応する部材には同一の符号を付している。
【００２９】
また、前記実施例のように、傾動体７を上位置Ｑと下位置Ｐとの間で無段階に固定できるようにするほか、例えばラチェット機構を用い、傾動体を予め定めた複数の位置で段階的に固定できるようにしても構わない。
【００３０】
加えて、本発明を、上記ロッキング椅子のみならず、ロッキング動作できない背座固定タイプの椅子に適用したり、あるいは背を有さない椅子において着座面後部を傾斜させ得るようにしたものでも、同様の作用効果を奏し得る。
【図面の簡単な説明】
【００３１】
【図１】本発明の一実施例における椅子の内部基本構造を示す部分斜視図。
【図２】同実施例における椅子の特に四辺リンク構造を示す概略側面図。
【図３】同実施例における傾動体及びランバーサポート部を主として示す部分概略側断面図。
【図４】本発明の他の実施例における傾動体及びランバーサポート部を主として示す部分側断面図。
【図５】本発明に係る椅子の一例を模式的に示す側面図。
【符号の説明】
【００３２】
１・・・椅子
５１・・・背支桿
５ｂ・・・背もたれ面下部
５２・・・張り部材
１０・・・サポートフレーム
１１・・・駆動機構
ＬＳ・・・ランバーサポート部
【図１】
2007313371.tif 000003
【図２】
2007313371.tif 000004
【図３】
2007313371.tif 000005
【図４】
2007313371.tif 000006
【図５】
2007313371.tif 000007